(57)【要約】【課題】少なくとも一つのクラウド基地システムと、一つの制御ユニットとを含む、クラウドサービスに基づく監視制御装置を提供すること。【解決手段】クラウド基地システムは制御ユニットの権限設定に用いられ、制御ユニットが少なくとも一つの被制御端末に接続して、クラウド基地システムの設定権限を解析し、被制御端末に対応したアクセスコマンドを生成する。制御ユニットはアクセスコマンドを実行し被制御端末を制御すると共に、使用記録をクラウド基地システムにアップロード及び格納して置き、いつでも閲覧できるようにするて、カスタマイズされたパーソナルクラウドサービスを実現し、近所または遠隔地で被制御端末を制御することによって、多様化でかつ幅広い制御性と操作の利便性効果を達成する。【選択図】図１
2016042686.tif 000002
【特許請求の範囲】
【請求項１】
少なくとも一つのクラウド基地システムと、一つの制御ユニットとを含む、クラウドサービスに基づく監視制御装置であって、
前記クラウド基地システムは前記制御ユニットの権限を設定することに用いられ、、前記制御ユニットが少なくとも一つの被制御端末に接続して、前記クラウド基地システムで設定された権限を解析し、かつ前記権限に対応するアクセスコマンドを前記被制御端末に生じさせ、前記制御ユニットによりアクセスコマンドを実行し前記被制御端末を制御するとともに、使用記録を前記クラウド基地システムにアップロード及び格納していつでも閲覧できるようにすることで、カスタマイズのパーソナルクラウドサービスを実現し近所または遠隔地で被制御端末を制御することによって、多様化かつ幅広い制御性と操作利便性との効果を達成することを特徴とする、クラウドサービスに基づく監視制御装置。
【請求項２】
前記クラウド基地システムと前記制御ユニットとの間は、インターネットなどの通信装置によって接続が構成されていることを特徴とする、請求項１記載のクラウドサービスに基づく監視制御装置。
【請求項３】
さらにスマートフォンを用いて、前記クラウド基地システムから前記制御ユニットのアドレスを取得し、遠隔地で被制御端末を制御することを特徴とする、請求項１記載のクラウドサービスに基づく監視制御装置。
【請求項４】
前記クラウド基地システムをコンピュータまたはスマートフォンの接続により、前記被制御端末使用の履歴記録を閲覧することを特徴とする、請求項１記載のクラウドサービスに基づく監視制御装置。
【発明の詳細な説明】
【技術分野】
【０００１】
本発明はクラウドサービスに基づく監視制御装置に関し、特にカスタマイズされたパーソナルクラウドサービスを達成し、近所または遠隔地で被制御端末を制御することによって、多様化でかつ幅広い制御性及び操作の利便性効果を達成するクラウドサービス監視制御装置に関する。
【背景技術】
【０００２】
クラウドはそもそも一種のインターネットモードであり、サービス側で複数のクライアント側と接続し、ファイルがサービス側に格納され、ソフトウェアとハードウェアのリソースと、ネットワークのアプリケーションを共有することによって、クライアント側からいつでもどこでも、ブラウザーやクラウドソフトウェアまたはＷｅｂサービスを介して、サービス側に格納されたソフトウェア及びデータにアクセスまたは実行することができる。さらに、実行するときはサービス側を介して演算を行い、その結果をクライアントに伝送することによって、クライアント側のシステム容量及び演算負荷を軽減することができる。しかし、従来のクラウドはサービス側と複数のクライアント側との間でのファイルアクセスと実行にとどまり、ファイルアクセスと実行しか機能せず、遠隔地で互いに制御することができない。
【発明の概要】
【発明が解決しようとする課題】
【０００３】
現時点の家電に対する制御は、赤外線などのリモコン制御に過ぎず、システムの承認によって、複数の家電装置の制御及び設定ができず、システムにて使用状態を格納することはなおさらに不可能である。このように、資源の浪費が発生される。その現象は組織部門、学校、チェーン店、会社、企業、民宿、ホテルなどの公共場所でよく見られる。さらに、一般家庭においても適正温度でない場合に空調装置を起動されたり、退社後に消すことを忘れたりするなどの例が挙げられる。そのため、資源の浪費やコストの増加につながる。
【課題を解決するための手段】
【０００４】
よって、発明者が研究、実験を繰り返した結果、クラウドサービスに基づく監視制御装置の改良をし、特にカスタマイズされたパーソナルクラウドサービスを達成し、近所または遠隔地で被制御端末を制御することによって、多様化でかつ幅広い制御性と操作の利便性との効果を達成するクラウドサービス監視制御装置を発明した。本発明の主な目的は、クラウドサービスに基づく監視制御装置を提供することによって、カスタマイズのパーソナルクラウドサービスを実現し、近所または遠隔地で被制御端末を制御し、使用の記録をクラウド基地システムに格納させ、いつでも閲覧することができ、多様化かつ幅広い制御性と操作の利便性を達成することができる。
【０００５】
前述クラウドサービスに基づく監視制御装置は、少なくとも一つのクラウド基地システムと、一つの制御ユニットとを含む。クラウド基地システムは制御ユニットの権限設定に用いられ、制御ユニットは少なくとも一つの被制御端末に接続して、クラウド基地システムの設定権限を解析し、被制御端末に対応のアクセスコマンドを生成する。制御ユニットがアクセスコマンドを実行することにより、被制御端末を制御すると共に、使用記録をクラウド基地システムにアップロード及び格納・保存して、いつでも閲覧できるようにするて、カスタマイズされたパーソナルクラウドサービスを実現し、近所または遠隔地で被制御端末を制御することによって、多様化かつ幅広い制御性と操作の利便性との効果を達成する。
【０００６】
前述のクラウドサービスに基づく監視制御装置において、クラウド基地システムと制御ユニットとの間は、インターネットなどの通信装置によって接続を構成される。
【０００７】
前述クラウドサービスに基づく監視制御装置において、クラウド基地システムがさらにスマートフォンを介して、クラウド基地システムより制御ユニットのアドレスを取得し、近所または遠隔地による被制御端末の制御を構成しても良い。
【図面の簡単な説明】
【０００８】
【図１】本発明の立体図である。
【図２】本発明のブロック図である。
【図３】本発明の動作フロー図である。
【図４】本発明による承認の実施例のブロック図である。
【発明を実施するための形態】
【実施例】
【０００９】
図１と２を合わせて参照する。図に示すように、本発明は少なくとも一つのクラウド基地システム１と、一つの制御ユニット２とを含む。そのうち、クラウド基地システム１は制御ユニット２の権限設定に用いられ、制御ユニット２は少なくとも一つの被制御端末３との接続に提供され、クラウド基地システム１の設定権限を解析すると同時に、権限に対応するアクセスコマンドを転送して、被制御端末３に提供される。制御ユニット２によってアクセスコマンドを実行し、被制御端末３を制御すると共に、使用記録をクラウド基地システム１にアップロード及び格納して置き、いつでも閲覧できるようにするて、カスタマイズされたパーソナルクラウドサービスを実現し、近所または遠隔地で被制御端末３を制御することによってスケジュール制御を実現し、多様化でかつ幅広い制御性と、操作の利便性効果を達成する。
【００１０】
本発明は前述のとおり、クラウド基地システム１と制御ユニット２との間は、インターネットなどの通信装置４によって接続され、制御ユニット２は組織部門、学校、チェーン店、会社、企業、民宿、ホテルなどの公共場所、さらに一般家庭に設置されており、空調装置２１、コンピュータ２２、テレビ装置２３、電子レンジ２４、電気炊飯器２５など電気製品の被制御端末３との接続に用いられことができる。空調装置２１を例として、クラウド基地システム１は例えば、空調装置２１の起動及び停止の時間、設定温度（または起動及び停止の温度）など制御ユニット２の権限設定に提供される。制御ユニット２によって、クラウド基地システム１で設定された権限を解析した上、対応の権限に対応するアクセスコマンドを被制御端末３の空調装置２１に転送し、空調装置２１がその権限において、スマートフォン５を用いて近所場所より制御し（赤外線またはＷｉ−Ｆｉ接続による制御）使用できる。権限を有しない者はスマートフォン５を介して制御することができない。このように、スケジュール制御を実現し勝手な使用による資源浪費とコスト支出を防止する。本発明はさらにスマートフォン５によって、クラウド基地システム１から制御ユニット２のアドレスを取得して、遠隔地で被制御端末３の制御を実現することもできる。
【００１１】
引き続き図３では、本発明の使用態様図を参照する。図に示すように、本発明は主に以下の動作フローを含む。
【００１２】
１． クラウド基地システム１から、制御ユニット２の権限を設定する。
【００１３】
２． 制御ユニット２によって、クラウド基地システム１で設定された権限を解析し、アクセスコマンドを実行して、被制御端末３の制御が行われる。
【００１４】
３． 制御ユニット２によって、使用記録をクラウド基地システム１にアップロード及び格納・保存する。
【００１５】
４． 使用者はいつでもクラウド基地システム１から被制御端末３の使用記録を閲覧することができる。
【００１６】
引き続き図４、本発明の承認実施例のブロック図を参照する。合わせて図１を参照する。本発明は学校施設の空調装置２１を例示してある。そのうち、
【００１７】
１． 権限Ａを校長、総務責任者など学校施設のもっとも高い権限に分類され、制御ユニット２のＡＰＰを介して、学校構内すべての空調装置２１を管理し、学校のすべての部門または単独部門を選択して、設定時間または温度に空調装置２１（例えば、放課時間に自動停止させるか、または温度が設定の温度を下回ると自動に起動を停止するなど）を始動させるかまたは制御しないことを選択する。そのうち、係る権限を同時に複製することができると共に、学部及び組別ごとに設定することができる。
【００１８】
２． 管轄の装置の管理を図るため、権限Ａは選択された部門の管理等級に権限Ｂを承認できる。
【００１９】
３． 権限Ｂは指導教師、班長など空調装置２１を管理する者に権限Ｃを承認される。制御ユニット２のＡＰＰを介して、設定時間または温度に空調装置２１（例えば、放課時間に自動に起動を停止させるか、あるいは温度が設定温度を下回ると自動に停止する）を起動させるかまたは制御しない、一つの空調装置２１を制御する。
【００２０】
４． 権限Ｂは例えば、一つまたは複数の専属の空調装置２１に割り当てられた当直者に権限Ｄを承認し、設定温度に空調装置２１（例えば、放課後に自動に停止させるか、あるいは温度が設定温度を下回ると自動に停止する）を起動させるかまたは制御しない。
【００２１】
５． 前述した１〜４のステップは、スマートフォン５を用いて付近場所（例えば、室内）から制御される。
【００２２】
６． スマートフォン５がクラウド基地システム１から制御ユニット２のアドレスを取得し、クラウド基地システム１を遠隔地で被制御端末３を制御する。
【００２３】
７． さらに、スマートフォン５を利用し、例えば、冷暖房、除湿、送風機能などの使用記録及び、各空調装置２１の検出箇所の温湿度記録、使用記録及び電気使用量記録をチェックし、部門別または装置別にタイムリポート（日、週、月、四半期及び特定期間）を出力印字して、クラウド基地システム１より空調装置２１の履歴使用記録を閲覧することもできる。
【００２４】
本発明によれば、前述の制御及び設定をチェーン店（設定方法は前述の学校と同じ）、企業（例えば、権限Ａを責任者に、権限Ｂを部門長に、権限Ｃ、Ｄを空調装置２１の管理者に割り当てるなど）、民宿ホテル（例えば、チェックイン時間に合わせて空調装置２１を起動させるなど）に適用させ、スケジュール制御を実現し勝手な使用による資源浪費とコスト支出を防止する。さらに、すべての設定及び制御はスマートフォン５によって実行される。
【００２５】
以上に述べたとおり、本発明はクラウド基地システムと制御ユニットを含む、クラウド基地システムより制御ユニットの権限を設定し、クラウドサービスに基づく監視制御装置を構成して、カスタマイズのパーソナルクラウドサービスを実現し、遠隔方式によってそれぞれの被制御端末を制御するとともに、随時に閲覧できるように使用記録をクラウド基地システムに格納し、多様化でかつ幅広い制御性と、操作の利便性効果を達成する。以上の実施例は本発明の好ましい実施例に過ぎず、本発明の技術範囲を制限するものではない。よって、本発明に基づいた若干の修飾、変更は本発明の技術範疇に含まれるものである。
【符号の説明】
【００２６】
１ クラウド基地システム
２ 制御ユニット
２１ 空調装置
２２ コンピュータ
２３ テレビ装置
２４ 電子レンジ
２５ 電気炊飯器
３ 被制御端末
４ 通信装置
５ スマートフォン
【図１】
2016042686.tif 000003
【図２】
2016042686.tif 000004
【図３】
2016042686.tif 000005
【図４】
2016042686.tif 000006